(57)【要約】      （修正有）【課題】結合係数の向上及び装置の小型化が図られた送電装置及び受電装置を提供する。【解決手段】送電装置は、上下方向に延びる第１巻回軸Ｏ１の周囲を取り囲む第１コイル５０と、上下方向に延びる第２巻回軸Ｏ２の周囲を取り囲む第２コイル５１と、を備える。送電時において第１コイルを流れる電流が第１巻回軸の周囲を巻回するように流れる第１電流方向と、第２コイルを流れる電流が第２巻回軸の周囲を巻回するように流れる第２電流方向とは、反対方向となるように形成されている。第１コイルは、第２コイルと隣り合う第１隣接部分７１と、第１巻回軸に対して第１隣接部分と反対側にある第１離間部分７２とを含む。第２コイルは、第１コイルと隣り合う第２隣接部分８１と、第２巻回軸に対して第２隣接部分と反対側にある第２離間部分８２とを含む。第１隣接部分は、第１離間部分よりも上方に位置している。【選択図】図８
2019016619.tif 000002
【特許請求の範囲】
【請求項１】
上下方向に延びる第１巻回軸の周囲を取り囲むように形成された第１コイルと、
上下方向に延びる第２巻回軸の周囲を取り囲むように形成された第２コイルと、
を備え、
送電時において前記第１コイルを流れる電流が前記第１巻回軸の周囲を巻回するように流れる電流方向を第１電流方向とし、前記第２コイルを流れる電流が前記第２巻回軸の周囲を巻回するように流れる電流方向を第２電流方向とすると、前記第１電流方向が前記第２電流方向と反対方向となるように、前記第１コイルおよび前記第２コイルは形成されており、
前記第１コイルは、前記第２コイルと隣り合う第１隣接部分と、前記第１巻回軸に対して前記第１隣接部分と反対側に位置する第１離間部分とを含み、
前記第２コイルは、前記第１コイルと隣り合う第２隣接部分と、前記第２巻回軸に対して前記第２隣接部分と反対側に位置する第２離間部分とを含み、
前記第１隣接部分は、前記第１離間部分よりも上方に位置している、送電装置。
【請求項２】
前記第１コイルおよび前記第２コイルが配置されるフェライト板をさらに備え、
前記フェライト板は、前記第１隣接部分と対向する第１対向部分と、前記第１離間部分と対向する第２対向部分とを含み、
前記第１対向部分の少なくとも一部の厚さは、前記第２対向部分の厚さよりも厚い、請求項１に記載の送電装置。
【請求項３】
前記第１隣接部分の一部は、前記第２隣接部分から離れるように形成された、請求項２に記載の送電装置。
【請求項４】
前記第１隣接部分が延びる方向において、前記第１隣接部分の中央部は前記第１隣接部分の端部よりも、前記第２隣接部分から離れるように形成されており、
前記第２隣接部分が延びる方向において、前記第２隣接部分の中央部は前記第２隣接部分の端部よりも、前記第１隣接部分から離れるように形成された、請求項３に記載の送電装置。
【請求項５】
上下方向に延びる第３巻回軸の周囲を取り囲むように形成された第３コイルと、
上下方向に延びる第４巻回軸の周囲を取り囲むように形成された第４コイルと、
を備え、
受電時において、前記第３コイルを流れる電流が前記第３巻回軸の周囲を巻回するように流れる電流方向を第３電流方向とし、前記第４コイルを流れる電流が前記第４巻回軸の周囲を巻回するように流れる電流方向と第４電流方向とすると、前記第３電流方向が前記第４電流方向と反対方向となるように、前記第３コイルおよび前記第４コイルは形成されており、
前記第３コイルは、前記第４コイルと隣り合う第３隣接部分と、前記第３巻回軸に対して前記第３隣接部分と反対側に位置する第３離間部分とを含み、
前記第４コイルは、前記第３コイルと隣り合う第４隣接部分と、前記第４巻回軸に対して前記第４隣接部分と反対側に位置する第４離間部分とを含み、
前記第３隣接部分は、前記第３離間部分よりも下方に位置している、受電装置。
【請求項６】
前記第３コイルおよび前記第４コイルが配置されるフェライト板をさらに備え、
前記フェライト板は、前記第３隣接部分と対向する第３対向部分と、前記第３離間部分と対向する第４対向部分とを含み、
前記第３対向部分の厚さは、前記第４対向部分の厚さよりも厚い、請求項５に記載の受電装置。
【請求項７】
前記第３隣接部分の一部は、前記第４隣接部分から離れるように形成された、請求項５また請求項６に記載の受電装置。
【請求項８】
前記第３隣接部分が延びる方向において、前記第３隣接部分の中央部は前記第３隣接部分の端部よりも、前記第４隣接部分から離れるように形成されており、
前記第４隣接部分が延びる方向において、前記第４隣接部分の中央部は前記第４隣接部分の端部よりも、前記第３隣接部分から離れるように形成された、請求項７に記載の受電装置。
【発明の詳細な説明】
【技術分野】
【０００１】
本開示は、送電装置および受電装置に関する。
【背景技術】
【０００２】
従来から非接触で電力を送電する非接触充電システムが知られている。非接触充電システムは、送電装置および受電装置を備え、送電装置は受電装置に非接触で電力を送電する（特許文献２〜７参照）。
【０００３】
たとえば、特表２０１６−５２６２８０号公報に記載された車両充電パッドは、第１コイルと、第２コイルと、モジュール式フェライトブロックとを備える。
【０００４】
第１コイルおよび第２コイルは、モジュール式フェライトブロックに配置されている。第１コイルおよび第２コイルは多巻ループコイルであり、第１コイルおよび第２コイルは互いに隣り合うように配置されている。
【０００５】
モジュール式フェライトブロックは板状に形成されている。モジュール式フェライトブロックは、複数のフェライトタイルを含む。
【先行技術文献】
【特許文献】
【０００６】
【特許文献１】特表２０１６−５２６２８０号公報
【特許文献２】特開２０１６−１０７１７４号公報
【特許文献３】特開２０１３−１５４８１５号公報
【特許文献４】特開２０１３−１４６１５４号公報
【特許文献５】特開２０１３−１４６１４８号公報
【特許文献６】特開２０１３−１１０８２２号公報
【特許文献７】特開２０１３−１２６３２７号公報
【発明の概要】
【発明が解決しようとする課題】
【０００７】
特表２０１６−５２６２８０号公報に記載された車両充電パッドにおいて、上記の車両充電パッドが送電パッドから電力を受電すると、車両充電パッドの第１コイルおよび第２コイルに電流が流れ、車両充電パッドが受電する。
【０００８】
しかし、上記の車両充電パッドのような受電装置においては、２つのコイルの形状や配置を工夫して結合係数の向上を図らなければ、コイルを２つ搭載するため、受電装置の体格が大きく成り易い。同様に、送電装置においても、同様の課題が生じる。
【０００９】
本開示は、上記のような課題に鑑みてなされたものであって、その目的は、結合係数の向上および装置の小型化が図られた送電装置および受電装置を提供することである。
【課題を解決するための手段】
【００１０】
本開示に係る送電装置は、上下方向に延びる第１巻回軸の周囲を取り囲むように形成された第１コイルと、上下方向に延びる第２巻回軸の周囲を取り囲むように形成された第２コイルとを備える。送電時において第１コイルを流れる電流が第１巻回軸の周囲を巻回するように流れる電流方向を第１電流方向とし、第２コイルを流れる電流が第２巻回軸の周囲を巻回するように流れる電流方向を第２電流方向とすると、第１電流方向が第２電流方向と反対方向となるように、第１コイルおよび第２コイルは形成されている。上記第１コイルは、第２コイルと隣り合う第１隣接部分と、第１巻回軸に対して第１隣接部分と反対側に位置する第１離間部分とを含み、第２コイルは、第１コイルと隣り合う第２隣接部分と、第２巻回軸に対して第２隣接部分と反対側に位置する第２離間部分とを含み、第１隣接部分は、第１離間部分よりも上方に位置している。
【００１１】
上記の送電装置によれば、送電時に、第１コイルおよび第２コイルの周囲に磁束が形成される。第１コイルの第１離間部分や第２コイルの第２離間部分の周囲を取り囲むように磁束が形成される。第１コイルの第１隣接部分や第２コイルの第２隣接部分の周囲にも磁束が形成される。第１隣接部分および第２隣接部分は、隣り合うように配置されている。第１隣接部分および第２隣接部分の周囲に形成される磁束は、第１隣接部分および第２隣接部分を跨ぐように形成される。
【００１２】
第１隣接部分および第２隣接部分を跨ぐように流れる磁束の実効半径は、第１離間部分または第２離間部分の周囲を取り囲むように流れる磁束の実効半径よりも大きい。
【００１３】
第１隣接部分および第２隣接部分を跨ぐように流れる磁束は、上方に膨らみやすい。その結果、送電装置の上方に配置される受電装置に達しやすくなる。
【００１４】
上記の送電装置においては、第１隣接部分は第１離間部分よりも上方に位置しており、第２隣接部分は第２離間部分よりも上方に位置している。
【００１５】
第１隣接部分および第２隣接部分は、第１離間部分および第２離間部分よりも受電装置に近く、第１隣接部分および第２隣接部分を跨ぐように形成された磁束が送電装置からの磁束が受電装置に達しやすくなる。このため、送電装置と受電装置との間の結合係数を高くすることができる。
【００１６】
送電装置と受電装置との間の結合係数を向上させることができるので、第１コイルおよび第２コイルを小型化しても、受電装置に良好に送電することができ、送電装置の小型化を図ることができる。
【発明の効果】
【００１７】
本開示に係る送電装置および受電装置によれば、結合係数の向上を図ることができると共に、装置の小型化を図ることができる。
【図面の簡単な説明】
【００１８】
【図１】非接触充電システム１を模式的に示す模式図である。
【図２】非接触充電システム１を模式的に示すブロック図である。
【図３】送電装置３を示す分解斜視図である。
【図４】送電コイル２３およびフェライト板３５を模式的に示す斜視図である。
【図５】第１コイル５０を模式的に示す斜視図である。
【図６】第２コイル５１を示す斜視図である。
【図７】図４のＶＩＩ−ＶＩＩ線における断面図である。
【図８】送電コイル２３を示す平面図である。
【図９】受電装置４を示す分解斜視図である。
【図１０】受電コイル１６を模式的に示す斜視図である。
【図１１】第３コイル１１２を模式的に示す斜視図である。
【図１２】第４コイル１１３を模式的に示す斜視図である。
【図１３】受電コイル１６およびフェライト板１０４を示す断面図である。
【図１４】送電装置３から受電装置４に電力を送電しているときの様子を模式的に示す断面図である。
【図１５】電力送電・受電時において、送電装置３および受電装置４の磁束分布を示すシミュレーション結果である。
【図１６】比較例に係る受電コイル１６Ａおよび送電コイル２３Ａを示す断面図である。
【図１７】本実施の形態２に係る送電装置３Ｂの一部を示す斜視図である。
【図１８】フェライト板３５Ｂを模式的に示す斜視図である。
【図１９】受電装置４Ｂの受電コイル１６およびフェライト板を示す斜視図である。
【図２０】フェライト板１０４Ｂを模式的に示す斜視図である。
【図２１】送電装置３Ｂから受電装置４Ｂに電力を送電している状態を模式的に示す断面図である。
【図２２】フェライト板の第１変形例を示す断面図である。
【図２３】フェライト板の第２変形例を示す断面図である。
【図２４】送電装置３Ｃの送電コイル２３を示す平面図である。
【図２５】送電装置３Ｃの送電コイル２３を示す斜視図である。
【図２６】受電装置４Ｃの受電コイル１６を示す平面図である。
【図２７】受電装置４Ｃの受電コイル１６を示す斜視図である。
【図２８】図２６におけるＸＸＶＩＩＩ−ＸＸＶＩＩＩ線における断面図である。
【図２９】図２６におけるＸＸＩＸ−ＸＸＩＸ線における断面図である。
【発明を実施するための形態】
【００１９】
図１から図２９を用いて、本実施の形態１〜３に係る送電装置および受電装置について説明する。図１から図２９に示す構成のうち、同一または実質的に同一の構成については、同一の符号を付して重複した説明を省略する場合がある。
（実施の形態１）
図１は、非接触充電システム１を模式的に示す模式図である。非接触充電システム１は、送電装置３と、車両２と、電源７と、変換器２０とを備える。
【００２０】
電源７は、変換器２０に接続されている。変換器２０は、インバータおよびコンバータを含む。
【００２１】
車両２は、受電装置４と、蓄電装置５とを含む。この図１に示す例においては、蓄電装置５は、車両２のフロアパネル６の下面に設けられている。受電装置４は、蓄電装置５の下面に設けられている。
【００２２】
受電装置４は、共振器１１と、機器１０とを含む。共振器１１は、受電コイル１６およびキャパシタ１７を含む。キャパシタ１７は受電コイル１６に直列に接続されており、キャパシタ１７および受電コイル１６によってＬＣ共振器が形成されている。共振器１１のＱ値は、１００以上である。機器１０は、整流器１２と、フィルタ１４とを含む。整流器１２は共振器１１に接続されており、フィルタ１４は、整流器１２および蓄電装置５に接続されている。蓄電装置５は、バッテリやキャパシタであり、充放電可能な機器である。
【００２３】
送電装置３は、共振器２１と、フィルタ２４とを含む。共振器２１は、送電コイル２３およびキャパシタ２２を含む。キャパシタ２２は、送電コイル２３に直列に接続されており、キャパシタ２２および送電コイル２３によってＬＣ共振器が形成されている。共振器２１のＱ値は、１００以上である。
【００２４】
フィルタ２４は、共振器２１および変換器２０に接続されている。フィルタ２４は、複数のコイルおよびキャパシタを含む。変換器２０は、電源７およびフィルタ２４に接続されている。
【００２５】
上記のように構成された非接触充電システム１において、送電装置３から受電装置４に非接触で電力を送電する際について説明する。変換器２０は、電源７から供給される交流電力の周波数および電圧を調整して、フィルタ２４に供給する。
【００２６】
フィルタ２４は、変換器２０から供給された交流電力からノイズを除去して、共振器２１に供給する。共振器２１に交流電力が供給されると、送電コイル２３の周囲に電磁界が形成される。送電コイル２３に供給される交流電力の周波数は、たとえば、数十ｋＨｚ〜百数十ｋＨｚ程度である。好ましくは、７０ｋＨｚ以上１００ｋＨｚ以下程度である。
【００２７】
受電コイル１６は、送電コイル２３の周囲に形成された電磁界から電力を受電する。受電時に受電コイル１６に流れる交流電流の周波数は、たとえば、数十ｋＨｚ〜百数十ｋＨｚ程度である。具体的には、７０ｋＨｚ以上１００ｋＨｚ以下程度である。整流器１２は、共振器１１から供給された交流電力を直流電力に変換してフィルタ１４に供給する。フィルタ１４は、整流器１２から供給された直流電力からノイズを除去して蓄電装置５に供給する。
【００２８】
次に、送電装置３の構成について、図３などを用いて、説明する。
図３は、送電装置３を示す分解斜視図である。送電装置３は、ケース３０と、基板３３と、金属板３４と、フェライト板３５と、フィルタ２４と、キャパシタ２２と、送電コイル２３とを備える。
【００２９】
フィルタ２４と、基板３３と、キャパシタ２２と、金属板３４と、フェライト板３５と、送電コイル２３とは、ケース３０内に収容されている。
【００３０】
ケース３０は、アッパーカバー３１およびアンダーカバー３２を含む。アッパーカバー３１は送電装置３の上面側に配置されており、アッパーカバー３１は樹脂によって形成されている。アッパーカバー３１は、上壁３７と側壁３６とを含む。側壁３６は、上壁３７の外周縁部から下方に向けて延びるように形成されている。
【００３１】
アンダーカバー３２は、地面側に配置されている。アンダーカバー３２は、アルミニウムまたはアルミニウム合金などの金属によって形成されている。
【００３２】
アンダーカバー３２は、底壁４１と、側壁４０とを含む。側壁４０は、底壁４１の外周縁部から上方に延びるように形成されている。
【００３３】
基板３３は、底壁４１の上面側に配置される。基板３３は板状に形成されており、基板３３は、下面４２および上面４３を含む。
【００３４】
フィルタ２４は、基板３３の下面４２側に配置されている。キャパシタ２２は、上面４３に配置されている。
【００３５】
金属板３４は、基板３３の上面４３側に配置されている。金属板３４は、アルミニウムまたはアルミニウム合金などの金属材料によって形成されている。金属板３４は、板状に形成されており、金属板３４は下面４４および上面４５を含む。
【００３６】
フェライト板３５は、金属板３４の上面４５に配置されている。フェライト板３５は、分割フェライト板４６および分割フェライト板４７を含む。分割フェライト板４６および分割フェライト板４７は、送電装置３上に停車する車両２の前後方向に配列するように設けられている。
【００３７】
分割フェライト板４６，４７は板状に形成されている。分割フェライト板４６は、上面６１および下面６０を含む。分割フェライト板４７は、下面６２および上面６３を含む。
【００３８】
送電コイル２３は、第１コイル５０および第２コイル５１を含む。第１コイル５０および第２コイル５１は、送電装置３上に停車する車両２の前後方向に配列するように配置されている。第１コイル５０は、上下方向に延びる巻回軸Ｏ１の周囲を取り囲むように形成されている。第２コイル５１は、上下方向に延びる巻回軸Ｏ２の周囲を取り囲むように形成されている。
【００３９】
第１コイル５０および第２コイル５１は、渦巻き型の平板コイルである。なお、第１コイル５０および第２コイル５１は略長方形形状に形成されているが、第１コイル５０および第２コイル５１の形状としては、各種の形状を採用することができる。
【００４０】
図４は、送電コイル２３およびフェライト板３５を模式的に示す斜視図である。第１コイル５０は、分割フェライト板４６の上面６１に配置されている。第２コイル５１は分割フェライト板４７の上面６３に配置されている。送電コイル２３は、第１コイル５０および第２コイル５１を接続する接続配線５３を含む。
【００４１】
図５は、第１コイル５０を模式的に示す斜視図である。図４および図５において、第１コイル５０は、隣接部分７１と、離間部分７２と、接続部分７３と、接続部分７４と、内周端部７５と、外周端部７７と、引出線７６とを含む。
【００４２】
隣接部分７１は、第２コイル５１と隣り合う部分である。離間部分７２は、巻回軸Ｏ１に対して隣接部分７１と反対側に位置する部分である。接続部分７３は、隣接部分７１の一端と離間部分７２の一端とを接続する。接続部分７４は、隣接部分７１の他端と離間部分７２の他端とを接続する。
【００４３】
隣接部分７１の一端は、接続部分７３の端部から上方に延びるように形成されている。隣接部分７１の他端は接続部分７４の端部から上方に延びるように形成されている。そして、隣接部分７１は、隣接部分７１の一端から他端に直線状に延びている。図５などに示す例においては、隣接部分７１および離間部分７２は車両２の左右方向に延びるように形成されている。接続部分７３，７４も直線状に形成されており、接続部分７３，７４は、車両２の前後方向に延びるように形成されている。
【００４４】
離間部分７２と、接続部分７３，７４は、分割フェライト板４６の上面６１に配置されている。このように、隣接部分７１は、離間部分７２よりも上方に位置している。具体的には、隣接部分７１は、離間部分７２および接続部分７３，７４よりも上方に位置している。
【００４５】
内周端部７５は、第１コイル５０の内周に位置しており、外周端部７７は、第１コイル５０の外周に位置している。引出線７６は内周端部７５に接続されており、接続配線５３は外周端部７７に接続されている。
【００４６】
上記のように構成された第１コイル５０は、巻回軸Ｏ１の周囲を取り囲むようにコイル線７０を巻回することで形成されている。具体的には、外周端部７７から内周端部７５に向かうにつれて、一巻き毎に、巻回軸Ｏ１との距離が短くなるように形成されている。
【００４７】
そして、外周端部７７から内周端部７５に向かうにつれて、第１コイル５０は、左回転方向（反時計回り方向）に延びる。
【００４８】
なお、内周端部７５に接続された引出線７６は、隣接部分７１と、分割フェライト板４６との間の隙間を通って、外部に引き出されている。
【００４９】
図６は、第２コイル５１を示す斜視図である。第２コイル５１は、隣接部分８１と、離間部分８２と、接続部分８３と、接続部分８４と、内周端部８５と、外周端部８７と、引出部分８６とを含む。
【００５０】
隣接部分８１は、第１コイル５０と隣り合う部分である。具体的には、隣接部分８１は、第１コイル５０の隣接部分７１と隣り合う部分である。離間部分８２は、巻回軸Ｏ２に対して隣接部分８１と反対側に位置する部分である。接続部分８３は、隣接部分８１の一端および離間部分８２の一端を接続する。接続部分８４は、隣接部分８１の他端と離間部分８２の他端を接続する。
【００５１】
隣接部分８１の一端は、接続部分８３の端部から上方に延びるように形成されている。隣接部分８１の他端は接続部分８４の端部から上方に延びるように形成されている。そして、隣接部分８１は隣接部分８１の一端から他端に直線状に延びている。隣接部分８１および隣接部分７１は、互いに同じ方向に延びるように形成されている。
【００５２】
図６などに示す例においては、隣接部分８１および離間部分８２は、車両２の左右方向に延びるように形成されている。接続部分８３，８４も直線状に形成されており、接続部分８３，８４は、車両２の前後方向に延びるように形成されている。
【００５３】
離間部分８２と、接続部分８３，８４は、分割フェライト板４７の上面６３に配置されている。このように、隣接部分８１は、離間部分８２よりも上方に位置している。具体的には、隣接部分８１は、離間部分８２および接続部分８３，８４よりも上方に位置している。
【００５４】
内周端部８５は第２コイル５１の内周に位置しており、外周端部８７は第２コイル５１の外周に位置している。
【００５５】
上記のように構成された第２コイル５１は、巻回軸Ｏ２の周囲を取り囲むように、コイル線８０を巻回することで形成されている。具体的には、外周端部８７から内周端部８５に向かうにつれて、一巻き毎に、巻回軸Ｏ２との距離が短くなるように形成されている。
【００５６】
そして、外周端部８７から内周端部８５に向かうにつれて右回転方向（時計回り方向）に延びる。
【００５７】
なお、引出部分８６は、外周端部８７に接続されている。接続配線５３は、内周端部８５に接続されている。
【００５８】
図７は、図４のＶＩＩ−ＶＩＩ線における断面図である。第１コイル５０の隣接部分７１は、離間部分７２の上端よりも上方に位置している。同様に、第２コイル５１の隣接部分８１は、離間部分８２の上端よりも上方に位置している。
【００５９】
図８は、送電コイル２３を示す平面図である。第２コイル５１の引出部分８６はキャパシタ２２に接続されており、引出線７６はフィルタ２４に接続されている。
【００６０】
送電時に、送電コイル２３に流れる交流電流の周波数は、７０ｋＨｚ以上１００ｋＨｚ以下程度である。このような周波数の交流電流の波長は、数百ｍとなる。その一方で、送電コイル２３を構成するコイル線７０，８０および接続配線５３の各長さの合計は、数ｍから十数ｍ程度である。
【００６１】
送電コイル２３内において、電流の位相差は殆どない状態である。このため、たとえば、引出部分８６において、電流方向Ａに電流が流れるときには、引出線７６において、電流方向Ａに電流が流れる。
【００６２】
引出部分８６において電流方向Ａに電流が流れると、第２コイル５１内を流れる交流電流が巻回軸Ｏ２の周囲を巻回するように流れる電流方向（第２電流方向）は、右回転方向（時計回り方向）である。その一方で、第１コイル５０内を流れる交流電流が巻回軸Ｏ２の周囲を巻回するように流れる電流方向（第１電流方向）は、左回転方向（反時計回り方向）である。
【００６３】
また、引出部分８６において、電流方向Ｂに電流が流れる際には、第２コイル５１内を流れる交流電流が巻回軸Ｏ２の周囲を巻回するように流れる電流方向（第２電流方向）は、左回転方向（反時計回り方向）である。その一方で、第１コイル５０内を流れる交流電流が巻回軸Ｏ２の周囲を巻回するように流れる電流方向（第１電流方向）は、右回転方向（時計回り方向）である。
【００６４】
このように、本実施の形態１に係る送電コイル２３は、送電時において、第１コイル５０に流れる電流が巻回軸Ｏ１を巻回するように流れる電流方向と、第２コイル５１を流れる電流が巻回軸Ｏ２を巻回するように流れる電流方向とは、反対方向となるように形成されている。
【００６５】
次に、図９などを用いて、受電装置４の構成について説明する。図９は、受電装置４を示す分解斜視図である。
【００６６】
受電装置４は、ケース１００と、受電コイル１６と、フェライト板１０４と、金属板１０５と、キャパシタ１７と、フィルタ１４と、基板１０６と、整流器１２とを備える。
【００６７】
受電コイル１６と、フェライト板１０４と、金属板１０５と、フィルタ１４と、基板１０６と、キャパシタ１７と、整流器１２とは、ケース１００内に収容されている。
【００６８】
ケース１００は、アッパカバー１０１と、アンダーカバー１０２とを含む。アッパカバー１０１およびアンダーカバー１０２は、樹脂によって形成されている。
【００６９】
アッパカバー１０１は、上壁１０８と、側壁１０７とを含む。側壁１０７は、上壁１０８の外周縁部から下方に延びるように形成されている。
【００７０】
アンダーカバー１０２は、底壁１１１と、側壁１１０とを含む。側壁１１０は、底壁１１１の外周縁部から上方に延びるように形成されている。
【００７１】
受電コイル１６は、底壁１１１の上面に配置されている。受電コイル１６は、第３コイル１１２と、第４コイル１１３とを含む。第３コイル１１２は、上下方向に延びる巻回軸Ｏ３の周囲を取り囲むように形成されている。第４コイル１１３は、上下方向に延びる巻回軸Ｏ４の周囲を取り囲むように形成されている。第３コイル１１２および第４コイル１１３は、車両２の前後方向に配列するように配置されている。
【００７２】
第３コイル１１２および第４コイル１１３は、渦巻き型の平板コイルである。なお、第３コイル１１２および第４コイル１１３は、略長方形形状に形成されいるが、第３コイル１１２および第４コイル１１３の形状としては、各種形状を採用することができる。
【００７３】
受電コイル１６の上面側には、フェライト板１０４が配置されている。フェライト板１０４は、分割フェライト板１１４と分割フェライト板１１５とを含む。
【００７４】
分割フェライト板１１４，１１５は、車両２の前後方向に配列するように配置されている。分割フェライト板１１４，１１５は板状に形成されている。第３コイル１１２は、下面１２０および上面１２１を含む。分割フェライト板１１４は、下面１２３と、上面１２４とを含む。
【００７５】
第３コイル１１２は、分割フェライト板１１４の下面１２０に配置されている。第４コイル１１３は、分割フェライト板１１５の下面１２３に配置されている。
【００７６】
金属板１０５は、フェライト板１０４の上面側に配置されている。金属板１０５は、アルミニウムまたはアルミニウム合金などの金属材料によって形成されている。金属板１０５は、板状に形成されており、金属板１０５は、下面１２５および上面１２６を含む。
【００７７】
基板１０６は、金属板１０５の上面１２６側に配置されている。基板１０６は、板状に形成されており、基板１０６は、下面１２８および上面１２９を含む。フィルタ１４およびキャパシタ１７は、基板１０６の下面１２８に配置されている。フィルタ１４は、キャパシタ１３０と、コイル１３１とを含み、キャパシタ１３０およびコイル１３１は基板１０６の下面１２８に配置されている。整流器１２は、基板１０６の上面１２９に配置されている。
【００７８】
アッパカバー１０１は、基板１０６の上面１２９側に配置されている。アッパカバー１０１は、図１に示す蓄電装置５の下面に配置されている。
【００７９】
図１０は、受電コイル１６を模式的に示す斜視図である。受電コイル１６は、第３コイル１１２および第４コイル１１３を接続する接続配線１１６を含む。
【００８０】
図１１は、第３コイル１１２を模式的に示す斜視図である。図１０および図１１に示すように、第３コイル１１２は、隣接部分１４１と、離間部分１４２と、接続部分１４３と、接続部分１４４と、内周端部１４５と、外周端部１４７と、引出線１４６とを含む。
【００８１】
隣接部分１４１は、第４コイル１１３と隣り合う部分である。離間部分１４２は、巻回軸Ｏ３に対して、隣接部分１４１と反対側に位置する部分である。接続部分１４３は、隣接部分１４１の一端と、離間部分１４２の一端とを接続する。接続部分１４４は、隣接部分１４１の他端と、離間部分１４２の他端を接続する。
【００８２】
隣接部分１４１の一端は、接続部分１４３の端部から下方に延びるように形成されている。隣接部分１４１の他端は、接続部分１４４の端部から下方に延びるように形成されている。隣接部分１４１は、一端から他端に直線状に延びるように形成されている。
【００８３】
図１１などに示す例においては、隣接部分１４１および離間部分１４２は、車両の左右方向に延びるように形成されている。接続部分１４３，１４４は、車両２の前後方向に延びるように形成されている。
【００８４】
隣接部分１４１は、離間部分１４２よりも下方に位置している。なお、離間部分１４２と、接続部分１４４，１４３は、分割フェライト板１１４の下面１２０に配置されている。
【００８５】
内周端部１４５は、第３コイル１１２の内周に位置しており、外周端部１４７は、第３コイル１１２の外周に位置している。引出線１４６は、内周端部１４５に接続されており、引出線１４６は、隣接部分１４１と分割フェライト板１１４との間から外部に引き出されている。接続配線１１６は、外周端部１４７に接続されている。
【００８６】
上記のように構成された第３コイル１１２は、巻回軸Ｏ３の周囲をコイル線１４０を巻回することで形成されている。具体的には、外周端部１４７から内周端部１４５に向かうにつれて、一巻き毎に、巻回軸Ｏ３に近づくように形成されている。
【００８７】
そして、外周端部１４７から内周端部１４５に向かうにつれて、コイル線１４０は、巻回軸Ｏ３の周囲を左回転方向（反時計回り）に延びるように形成されている。
【００８８】
図１２は、第４コイル１１３を模式的に示す斜視図である。第４コイル１１３は、隣接部分１５１と、離間部分１５２と、接続部分１５３と、接続部分１５４と、内周端部１５５と、外周端部１５８と、引出線１５６とを含む。
【００８９】
隣接部分１５１は、第３コイル１１２と隣り合う部分である。具体的には、第３コイル１１２の隣接部分１４１と隣り合う部分である。隣接部分１５１は、巻回軸Ｏ４に対して、隣接部分１５１と反対側に位置する部分である。接続部分１５３は、隣接部分１５１の一端と離間部分１５２の一端とを接続する。接続部分１５３は、隣接部分１５１の他端と、離間部分１５２の他端とを接続する。
【００９０】
隣接部分１５１の一端は、接続部分１５３の端部から下方に延びるように形成されている。隣接部分１５１の他端は、接続部分１５４の端部から下方に延びるように形成されている。隣接部分１５１は、離間部分１５２よりも下方に位置している。
【００９１】
上記のように構成された第４コイル１１３は、外周端部１５８から内周端部１５５に向かうにつれて、巻回軸Ｏ４の周囲を右回転方向（時計回り方向）に延びるように形成されている。
【００９２】
図１３は、受電コイル１６およびフェライト板１０４を示す断面図である。第３コイル１１２において、隣接部分１４１は、離間部分１４２の下端部よりも下方に位置している。第４コイル１１３において、隣接部分１５１は、離間部分１５２よりも下方に位置している。
【００９３】
上記のように構成された受電装置４が送電装置３から電力を受電すると、受電コイル１６に交流電流が流れる。
【００９４】
図１０において、第３コイル１１２のコイル線の長さと、第４コイル１１３のコイル線の長さと、接続配線１１６の長さとの合計長さは、数ｍから十数ｍ程度である。
【００９５】
その一方で、受電コイル１６が受電する交流電流の周波数は、数十ｋＨｚ〜百数十ｋＨｚ程度であり、電流の波長は、数百ｍ程度になる。
【００９６】
このため、第４コイル１１３の引出線１５６に電流方向Ｃの電流が流れる際には、第３コイル１１２の引出線１４６に電流方向Ｃの電流が流れる。
【００９７】
図１２において、引出線１５６に電流方向Ｃの電流が流れると、第４コイル１１３内を流れる電流が巻回軸Ｏ４の周囲を巻回する電流方向（第４電流方向）は、右回転方向（反時計回り方向）である。同様に、第３コイル１１２内を流れる電流が巻回軸Ｏ３の周囲を巻回する電流方向（第３電流方向）は、左回転方向（時計回り方向）である。
【００９８】
このように、受電コイル１６においても、受電時に、第３コイル１１２に流れる電流の電流方向（第３電流方向）と、第４コイル１１３に流れる電流の電流方向（第４電流方向）とは、反対方向になるように形成されている。
【００９９】
図１４は、送電装置３から受電装置４に電力を送電しているときの様子を模式的に示す断面図である。
【０１００】
送電時には、送電コイル２３に交流電流が流れる。送電コイル２３に交流電流が流れると、第１コイル５０および第２コイル５１の周囲に磁束が形成される。
【０１０１】
たとえば、隣接部分７１の近傍に磁束ＭＦ１が形成され、離間部分７２の周囲には、磁束ＭＦ６，ＭＦ７が形成される。隣接部分８１の周囲の近傍に磁束ＭＦ２が形成され、離間部分８２の周囲には、磁束ＭＦ８，ＭＦ９が形成される。
【０１０２】
ここで、第１コイル５０に流れる電流の電流方向と、第２コイル５１に流れる電流の電流方向とは、反対方向である。
【０１０３】
このため、隣接部分７１の周囲に形成される磁束と、隣接部分８１の周囲に形成される磁束は結合しやすい。そのため、隣接部分７１および隣接部分８１を跨ぐような磁束ＭＦ３が形成され易い。
【０１０４】
ここで、隣接部分７１の内周縁部から隣接部分８１の内周縁部までの幅Ｗ１は、離間部分７２の幅Ｗ２や離間部分８２の幅Ｗ３よりも大きい。
【０１０５】
このため、隣接部分７１および隣接部分８１を跨ぐように形成される磁束の実効半径は、離間部分７２，８２の周囲を取り囲むように形成された磁束の実効半径よりも長い。
【０１０６】
このため、隣接部分７１および隣接部分８１を跨ぐように形成された磁束は、上方に膨らむように分布しやすい。そのため、磁束ＭＦ４や磁束ＭＦ５のような磁束が形成され易い。その結果、磁束ＭＦ５のように、受電コイル１６と鎖交する磁束が発生しやすい。
【０１０７】
特に、本実施の形態１に係る送電装置３においては、隣接部分７１および隣接部分８１が上方に位置している。その結果、隣接部分７１および隣接部分８１を跨ぐ磁束は、上方に分布しやすく、受電コイル１６と鎖交し易い。
【０１０８】
このため、本実施の形態１に係る送電装置３によれば、送電装置３および受電装置４の結合係数の向上を図ることができる。
【０１０９】
受電コイル１６の隣接部分１４１，１５１は、離間部分１４２，１５２よりも下方に位置している。このため、隣接部分７１および隣接部分８１を跨ぐように形成された磁束と鎖交しやすい。なお、送電コイル２３において、離間部分７２，８２の幅Ｗ２，Ｗ３は小さいため、離間部分７２の周囲に形成される磁束ＭＦ６，ＭＦ７は、上方に膨らみ難い。その結果、磁束ＭＦ６，ＭＦ７のように、離間部分７２の周囲に形成される磁束は、離間部分７２の周囲を取り囲むように形成される。同様に、離間部分８２の周囲に形成される磁束も、離間部分８２の周囲を取り囲むように形成される。
【０１１０】
送電コイル２３からの磁束が受電コイル１６と鎖交すると、受電コイル１６に交流電流が流れる。受電コイル１６に交流電流が流れると、受電コイル１６の周囲にも磁束が形成される。
【０１１１】
隣接部分１４１および隣接部分１５１は、互いに隣り合うように配置されているため、隣接部分１４１および隣接部分１５１を跨ぐように磁束が形成される。また、離間部分１４２の周囲を取り囲むように磁束ＭＦ１０，ＭＦ１１が形成されると共に、離間部分１５２の周囲を取り囲むように磁束ＭＦ１２、ＭＦ１３が形成される。
【０１１２】
隣接部分１４１の内周縁部と隣接部分１５１の内周縁部との間の距離は、離間部分１４２，１５２の幅よりも広い。このため、隣接部分１４１および隣接部分１５１を跨ぐように形成される磁束は、下方に向けて膨らみやすく送電コイル２３と鎖交しやすい。
【０１１３】
特に、隣接部分１４１，１５１は、離間部分１４２，１５２よりも下方に位置しているため、隣接部分１４１，１５１を跨ぐように形成された磁束は、送電コイル２３と鎖交しやすくなっている。これにより、受電装置４と蓄電装置５との結合係数の向上が図られている。
【０１１４】
このように、本実施の形態１に係る受電装置４によれば、送電装置３からの磁束を捕捉しやすく、送電装置３および受電装置４の間の結合係数を向上させることができる。
【０１１５】
図１５は、電力送電・受電時において、送電装置３および受電装置４の磁束分布を示すシミュレーション結果である。なお、シミュレーションにおいては、ＪＭＡＧ（登録商標）などの電磁界解析ソフトを用いた。この図１５からも明らかなように、送電コイル２３の隣接部分７１，８１と、受電コイル１６の隣接部分１４１，１５１との間で多くの磁束が鎖交していることが分かる。
【０１１６】
図１６は、比較例に係る受電コイル１６Ａおよび送電コイル２３Ａを示す断面図である。送電コイル２３Ａは、第１コイル５０Ａおよび第２コイル５１Ａを含む。第１コイル５０Ａは、隣接部分７１Ａと、離間部分７２Ａとを含み、離間部分７２Ａおよび隣接部分７１Ａの位置は、同一平面上に位置している。第２コイル５１Ａは、隣接部分８１Ａおよび離間部分８２Ａを含み、離間部分８２Ａおよび隣接部分８１Ａは同一平面上に配置されている。
【０１１７】
同様に、受電コイル１６Ａは、第３コイル１１２Ａおよび第４コイル１１３Ａを含む。第３コイル１１２Ａは、離間部分１４２Ａおよび隣接部分１４１Ａを含み、隣接部分１４１Ａおよび離間部分１４２Ａは、同一平面上に位置している。
【０１１８】
第４コイル１１３Ａは、隣接部分１５１Ａおよび離間部分１５２Ａを含み、隣接部分１５１Ａおよび離間部分１５２Ａは、同一平面上に位置している。
【０１１９】
上記のように構成された送電コイル２３Ａから受電コイル１６Ａに電力を送電する際にも、送電コイル２３Ａに交流電流が供給される。隣接部分７１Ａ，８１Ａは、図１４に示す隣接部分７１，８１よりも下方に位置している。
【０１２０】
このため、隣接部分７１Ａ，８１Ａの周囲に形成される磁束が受電コイル１６Ａと鎖交し難くなっている。
【０１２１】
同様に、受電コイル１６Ａの隣接部分１４１Ａ，１５１Ａは、受電コイル１６の隣接部分１４１，１５１よりも上方に位置している。このため、受電コイル１６Ａは、受電コイル１６よりも磁束を捕捉し難くなっている。
【０１２２】
すなわち、本実施の形態１に係る送電装置３および受電装置４は、比較例に係る送電装置３Ａおよび受電装置４Ａよりも結合係数の向上を図ることができることが分かる。
【０１２３】
送電装置３は、送電装置３Ａよりも結合係数の向上を図ることができるので、送電装置３の送電コイル２３の大きさを、送電装置３Ａの送電コイル２３Ａの大きさよりも小さく形成することができる。これにより、送電装置３の体格の大きさを送電装置３Ａの体格の大きさよりも小さく抑えることができる。
【０１２４】
同様に、本実施の形態１に係る受電装置４によれば、受電コイル１６の大きさを受電コイル１６Ａよりも小さく抑えることができ、受電装置４の体格を受電装置４Ａの体格よりも小さく抑えることができる。
【０１２５】
（実施の形態２）
図１７など用いて、実施の形態２に係る送電装置３Ｂおよび受電装置４Ｂについて説明する。
【０１２６】
図１７は、本実施の形態２に係る送電装置３Ｂの一部を示す斜視図である。送電装置３Ｂは、送電コイル２３と、フェライト板３５Ｂとを含む。
【０１２７】
本実施の形態２に係る送電装置３Ｂの送電コイル２３は、実施の形態１の送電コイル２３と同じ形状である。
【０１２８】
図１８は、フェライト板３５Ｂを模式的に示す斜視図である。フェライト板３５Ｂは、分割フェライト板４６Ｂと、分割フェライト板４７Ｂとを含む。分割フェライト板４６Ｂは、板部２００と、突出部２０１とを含む。板部２００は、平板状に形成されている。
【０１２９】
突出部２０１は、板部２００の上面に形成されている。突出部２０１は、分割突出部２０２と、分割突出部２０３とを含む。分割突出部２０２，２０３は、板部２００の上面から上方に突出するように形成されている。分割突出部２０２と、分割突出部２０３との間には隙間が形成されている。
【０１３０】
図１７および図１８に示すように、第１コイル５０は、フェライト板３５Ｂの上面６１に配置されている。離間部分７２と、接続部分７３，７４は、板部２００の上面に配置されている。隣接部分７１は、突出部２０１の上面に配置されている。具体的には、隣接部分７１は、分割突出部２０２および分割突出部２０３の上面上に配置されている。なお、引出線７６は、分割突出部２０２および分割突出部２０３の間の隙間を通るように配置されている。
【０１３１】
分割フェライト板４６Ｂにおいて、離間部分７２と対向する部分（第１対向部分）は、板部２００の上面である。隣接部分７１と対向する部分（第２対向部分）は、分割突出部２０２，２０３と、板部２００のうち分割突出部２０２および分割突出部２０３の間に位置する部分である。
【０１３２】
図１８からも明らかなように、分割フェライト板４６Ｂのうち隣接部分７１と対向する部分の少なくとも一部は、分割フェライト板４６Ｂのうち離間部分７２と対向する部分よりも厚く形成されている。具体的には、フェライト板３５Ｂのうち突出部２０１が位置する部分の厚さは、板部２００の厚さよりも厚い。
【０１３３】
第２コイル５１は、分割フェライト板４７Ｂの上面６３に配置されている。分割フェライト板４７Ｂは、板部２１０と、突出部２１１とを含む。板部２１０は、平板状に形成されている。突出部２１１は、板部２１０の上面に形成されている。突出部２１１は、分割突出部２１２と、分割突出部２１３とを含む。分割突出部２１２と分割突出部２１３との間にも隙間が形成されている。接続配線５３は、この隙間を通るように配置されている。
【０１３４】
隣接部分８１は、突出部２１１の上面に配置されており、具体的には、隣接部分８１は、突出部２１１の上面に配置されており、離間部分８２と、接続部分８３，８４は、板部２１０の上面に配置されている。
【０１３５】
図１８からも明らかなように、分割フェライト板４７Ｂのうち、隣接部分８１と対向する部分の少なくとも一部は、分割フェライト板４７Ｂのうち離間部分８２と対向する部分よりも厚く形成されている。
【０１３６】
図１９は、受電装置４Ｂの受電コイル１６およびフェライト板１０４Ｂを示す斜視図である。図２０は、フェライト板１０４Ｂを示す斜視図である。フェライト板１０４Ｂは、分割フェライト板１１４Ｂおよび分割フェライト板１１５Ｂを含む。
【０１３７】
分割フェライト板１１４Ｂは、板部２２０と、突出部２２１とを含む。突出部２２１は、板部２２０の下面に形成されている。突出部２２１は、分割突出部２２２と、分割突出部２２３とを含む。分割突出部２２２および分割突出部２２３の間には、接続配線１１６が配置される隙間が形成されている。
【０１３８】
第３コイル１１２の隣接部分１４１は、突出部２２１の下面に配置されている。離間部分１４２と、接続部分１４３，１４４は、板部２２０の下面に配置されている。
【０１３９】
図２０から明らかなように、分割フェライト板１１４Ｂのうち、隣接部分１４１と対向する部分の少なくとも一部の厚さは、離間部分１４２と対向する部分の厚さよりも厚い。
【０１４０】
分割フェライト板１１５Ｂは、板部２３０と、突出部２３１とを含む。突出部２３１は、板部２３０の下面に形成されており、板部２３０の下面から下方に突出するように形成されている。
【０１４１】
突出部２３１は、分割突出部２３２と、分割突出部２３３とを含む。分割突出部２３２と、分割突出部２３３との間には、接続配線１１６が通る隙間が形成されている。
【０１４２】
第４コイル１１３の隣接部分１５１は、突出部２３１の下面に配置されている。離間部分１５２と、接続部分１５３，１５４とは、板部２３０の下面に配置されている。
【０１４３】
分割フェライト板１１５Ｂにおいて、隣接部分１５１と対向する部分の少なくとも一部の厚さは、離間部分１５２と対向する部分の厚さよりも厚い。
【０１４４】
図２１は、送電装置３Ｂから受電装置４Ｂに電力を送電している状態を模式的に示す断面図である。隣接部分７１の周囲に形成される磁束と、隣接部分８１の周囲に形成される磁束は、結合しやすい。このため、隣接部分７１を電流が流れることで隣接部分７１の周囲に形成される磁束の大部分と、隣接部分８１を流れることで隣接部分８１の周囲に形成される磁束の大部分とは、隣接部分７１および隣接部分８１を跨ぐように形成されている。
【０１４５】
隣接部分７１および隣接部分８１を跨ぐように流れる磁束の磁束量は、離間部分７２の周囲に形成される磁束の磁束量よりも多い。同様に、隣接部分７１および隣接部分８１を跨ぐように流れる磁束の磁束量は、離間部分８２の周囲に形成される磁束の磁束量よりも多い。
【０１４６】
隣接部分７１および隣接部分８１を跨ぐように流れる磁束は、フェライト板３５Ｂのうち隣接部分７１，８１と対向する部分を通る。また、フェライト板３５Ｂのうち、隣接部分７１と対向する部分には、隣接部分７１のみの周囲を取り囲むように流れる磁束も流れる。フェライト板３５Ｂのうち、隣接部分８１と対向する部分には、隣接部分８１のみの周囲を取り囲むように流れる磁束も流れる。
【０１４７】
離間部分７２，８２の周囲に形成される磁束は、フェライト板３５Ｂのうち、離間部分７２，８２と対向する部分を流れる。
【０１４８】
このため、フェライト板３５Ｂのうち、隣接部分７１，８１と対向する部分を流れる磁束の磁束量は、離間部分７２，８２と対向する部分を流れる磁束の磁束量よりも多い。
【０１４９】
本実施の形態２に係る送電装置３Ｂにおいては、フェライト板３５Ｂのうち隣接部分７１，８１と対向する部分の厚さは、離間部分７２，８２と対向する部分の厚さよりも厚い。
【０１５０】
このため、フェライト板３５Ｂ内において、局所的に温度が高くなることを抑制することができる。
【０１５１】
図１６に示す比較例の送電装置３Ａにおいては、フェライト板３５は平板状に形成されている。このため、フェライト板３５のうち、隣接部分７１Ａ，８１Ａと対向する部分の厚さと、離間部分７２Ａ，８２Ａと対向する部分の厚さとは、同じである。
【０１５２】
その一方で、フェライト板３５のうち、隣接部分７１Ａ，８１Ａと対向する部分を流れる磁束の磁束量は、離間部分７２Ａ，８２Ａと対向する部分を流れる磁束の磁束量よりも多い。
【０１５３】
そのため、フェライト板３５のうち、隣接部分７１Ａ，８１Ａと対向する部分の温度は、離間部分７２Ａ，８２Ａと対向する部分の温度よりも高くなる。
【０１５４】
その結果、隣接部分７１Ａ，８１Ａと対向する部分の膨張量は、離間部分７２Ａ，８２Ａと対向する部分の膨張量よりも大きい。その結果、隣接部分７１，８１と対向する部分に熱応力が発生する。
【０１５５】
一般に、フェライト内の内部応力が大きくなると、磁気抵抗が大きくなる。磁気抵抗が大きくなると、磁束が通った際に生じる発熱量も大きくなる。
【０１５６】
このため、フェライト板３５のうち、隣接部分７１Ａ，８１Ａと対向する部分の温度が高温になり易い。
【０１５７】
その一方で、本実施の形態２に係る送電装置３Ｂにおいては、上記のような弊害が生じることを抑制することができる。
【０１５８】
図２１において、受電装置４Ｂは、送電装置３Ｂから電力を受電する。この際、受電コイル１６に交流電流が生じ、受電コイル１６の周囲に磁束が形成される。
【０１５９】
受電コイル１６においても、隣接部分１４１の周囲に形成される磁束の対部分と、隣接部分１５１の周囲に形成される磁束の大部分とが合流して、隣接部分１４１および隣接部分１５１を跨ぐように流れる。
【０１６０】
隣接部分１４１および隣接部分１５１を跨ぐように流れる磁束の磁束量は、離間部分１４２，１５２の周囲に形成される磁束量よりも多い。
【０１６１】
このため、フェライト板１０４Ｂのうち、隣接部分１４１，１５１と対向する部分を流れる磁束の磁束量は、離間部分１４２，１５２と対向する部分を流れる磁束の磁束量よりも多い。フェライト板１０４Ｂのうち、隣接部分１４１，１５１と対向する部分の厚さは、離間部分１４２，１５２と対向する部分の厚さよりも厚い。
【０１６２】
このため、フェライト板１０４Ｂにおいても、局所的に温度が高くなることを抑制することができる。
【０１６３】
上記実施の形態１，２において、フェライト板３５，３５Ｂは、分割フェライト板４６，４６Ｂと、分割フェライト板４７，４７Ｂとに分割されているが、分割フェライト板４６，４６Ｂと、分割フェライト板４７，４７Ｂとを一体化してもよい。
【０１６４】
図２２は、フェライト板の第１変形例を示す断面図である。フェライト板２５０は、板部２５２と、突出部２５１とを含む。突出部２５１の上面には、送電コイル２３の隣接部分７１，８１が配置される。
【０１６５】
このフェライト板２５０においては、隣接部分７１および隣接部分８１を跨ぐように流れる磁束が空気中を通る距離を短くすることができる。このため、隣接部分７１および隣接部分８１を跨ぐように流れる磁束の磁束量を増やすことができる。これにより、受電装置４と送電装置３との結合係数を向上させることができる。
【０１６６】
なお、フェライト板２５０の構成は、受電装置４のフェライト板にも適用することができる。
【０１６７】
図２３は、フェライト板の第２変形例を示す断面図である。フェライト板２５０Ａは、板部２５２Ａと、突出部２５３Ａとを含む。突出部２５３Ａは、板部２５２Ａの上面から突出すると共に、下方に向けて突出するように形成されている。
【０１６８】
さらに、突出部２５３Ａは、突出部２５３Ａの幅方向の中央部に向かうにつれて、厚さが厚くなるように形成されている。
【０１６９】
送電時に、突出部２５３Ｂ内に多くの磁束が流れる一方で、突出部２５３Ｂ内においても、突出部２５３Ｂの中央部に最も多くの磁束が流れる。
【０１７０】
フェライト板２５０Ａにおいては、突出部２５３Ａの幅方向の中央部の厚さを厚くすることで、突出部２５３Ａ内においても局所的に温度が高くなることを抑制することができる。
（実施の形態３）
図２４などを用いて、本実施の形態３に係る送電装置３Ｃおよび受電装置４Ｃについて説明する。
【０１７１】
図２４は、送電装置３Ｃの送電コイル２３Ｃを示す平面図であり、図２５は送電装置３Ｃの送電コイル２３Ｃを示す斜視図である。送電コイル２３Ｃは、第１コイル５０と、第２コイル５１とを含む。第１コイル５０は、隣接部分７１と、離間部分７２と、接続部分７３，７４とを含む。
【０１７２】
隣接部分７１は、退避部７８を含む。退避部７８は、第２コイル５１の隣接部分８１から離れるように形成されている。
【０１７３】
退避部７８は、隣接部分７１の延びる方向において、隣接部分７１の中央部に形成されている。この図２４および図２５に示す例においては、隣接部分７１は、隣接部分７１の端部から中央部に向かうにつれて、第２コイル５１から離れるように形成されている。
【０１７４】
第２コイル５１の隣接部分８１も退避部８８を含む。退避部８８は、第１コイル５０から離れるように形成されている。退避部８８は、隣接部分８１の延びる方向において、隣接部分８１の中央部に形成されている。
【０１７５】
図２４および図２５に示す例においては、隣接部分８１は、隣接部分８１の端部から中央部に向かにつれて、第１コイル５０から離れるように形成されている。なお、退避部８８と、退避部７８とは互いに対向するように形成されている。
【０１７６】
図２６は、受電装置４Ｃの受電コイル１６Ｃを示す平面図であり、図２７は、受電装置４Ｃの受電コイル１６Ｃを示す斜視図である。
【０１７７】
図２６および図２７において、第３コイル１１２は、隣接部分１４１を含む。隣接部分１４１は、退避部１４８を含む。退避部１４８は、第３コイル１１２の隣接部分１４１から離れるように形成されている。
【０１７８】
退避部１４８は、隣接部分１４１の延びる方向において、隣接部分１４１の中央部に形成されている。隣接部分１４１は、隣接部分１４１の端部から中央部に向かうにつれて、第４コイル１１３から離れるように形成されている。
【０１７９】
第４コイル１１３は、隣接部分１５１を含む。隣接部分１５１は、退避部１５９を含む。退避部１５９は、第３コイル１１２の隣接部分１４１から離れるように形成されている。退避部１５９は、隣接部分１５１の延びる方向において、隣接部分１５１の中央部に形成されている。隣接部分１５１は、隣接部分１５１の端部から中央部に向かうにつれて、隣接部分１４１から離れるように形成されている。なお、退避部１４８と、退避部１５９とは互いに対向するように形成されている。
【０１８０】
図２８は、図２６におけるＸＸＶＩＩＩ−ＸＸＶＩＩＩ線における断面図であり、図２９は、図２６におけるＸＸＩＸ−ＸＸＩＸ線における断面図である。
【０１８１】
図２８および図２９に示すように、本実施の形態３に係る送電装置３Ｃおよび受電装置４Ｃは、実施の形態２に係るフェライト板３５Ｂおよびフェライト板１０４Ｂを含む。そして、図２８および図２９に示すように、隣接部分７１および隣接部分８１の間の距離は、退避部７８および退避部８８の間において最も長くなる。
【０１８２】
このため、フェライト板３５Ｂのうち退避部７８および退避部８８と対向する部分を通る磁束量を低減することができ、突出部２０１，２１１の温度が高くなることを抑制することができる。
【０１８３】
隣接部分１４１および隣接部分１５１の間の距離は、退避部１４８および退避部１５９の間において最も長くなる。そのため、退避部１４８および退避部１５９を跨ぐ磁束量を減らすことができる。
【０１８４】
その結果、フェライト板１０４Ｂのうち退避部１４８および退避部１５９と対向する部分を通る磁束量が多くなることを抑制することができ、突出部２２１，２３１の温度が高くなることを抑制することができる。また、本実施の形態３においては、受電装置４Ｃおよび送電装置３Ｃとが正対した状態において、退避部１４８，１５９と、退避部７８，８８とが上下方向に対向する。退避部１４８，１５９と、退避部７８，８８とを通る磁束量が過大になることを抑制することができる。このため、たとえば、送電装置３Ｃおよび受電装置４Ｃとが前後方向または左右方向に位置ずれした場合の結合係数（Ｋｍａｘ）と、受電装置４Ｃおよび送電装置３Ｃとが正対した場合の結合係数との差が大きくなることを抑制することができる。
【０１８５】
上記実施の形態３において、図２８および図２９に示すように、送電装置３Ｃにおいて、突出部２０１，２１１が形成されたフェライト板を採用することは必須の構成ではなく、突出部２０１，２１１が形成されていない板状のフェライト板を採用してもよい。また、板状のフェライト板に図２３に示す山形状の突出部２５３を形成するようにしてもよい。同様に、受電装置４Ｃにおいて、突出部２１１，２３１が形成されたフェライト板１０４Ｂを採用することは必須ではなく、突出部２１１，２３１が形成されていない板状のフェライト板を採用してもよい。また、板状のフェライト板の上面側に山形状の突出部を形成するようにしてもよい。
【０１８６】
上記のように本実施の形態１〜３について説明した。上記実施の形態１〜３において、送電コイル２３において、第１コイル５０および第２コイル５１を直列に接続した例について説明したが、第１コイル５０をフィルタ２４およびキャパシタ２２に接続すると共に、第２コイル５１をフィルタ２４およびキャパシタ２２に接続するようにしてもよい。
【０１８７】
上記のように第１コイル５０および第２コイル５１を接続したとしても、送電時において、第１コイル５０を流れる電流の電流方向と、第２コイル５１を流れる電流の電流方向とは反対方向となるように形成されている。
【０１８８】
なお、受電コイル１６においても同様に、第３コイル１１２を整流器１２およびキャパシタ１７に接続すると共に、第４コイル１１３を整流器１２およびキャパシタ１７に接続するようにしてもよい。
【０１８９】
上記実施の形態１〜３において、送電コイル２３は、隣接部分７１および隣接部分８１を含み、隣接部分７１および隣接部分８１のいずれもが、離間部分７２および離間部分８２よりも上方に位置するように形成されている。その一方で、隣接部分７１および隣接部分８１の少なくとも一方を離間部分７２，８２よりも上方に位置するように形成してもよい。
【０１９０】
同様に、受電コイル１６においても、隣接部分１４１および隣接部分１５１の少なくとも一方を離間部分１４２，１５２よりも下方に位置するように形成してもよい。
【０１９１】
上記実施の形態１〜３においては、第３コイル１１２および第４コイル１１３は、車両２の前後方向に配列するように配置されている。その一方で、第３コイル１１２および第４コイル１１３が車両２の幅方向に配列するように配置してもよい。同様に、上記実施の形態１〜３においては、第１コイル５０および第２コイル５１は、停車する車両２の前後方向に配列するように配置されている。その一方で、第１コイル５０および第２コイル５１を停車する車両２の幅方向に配列するように配置してもよい。
【０１９２】
今回開示された実施の形態は、すべての点で例示であって制限的なものではないと考えられるべきである。本開示の範囲は、上記した実施の形態の説明ではなくて特許請求の範囲によって示され、特許請求の範囲と均等の意味および範囲内でのすべての変更が含まれることが意図される。
【符号の説明】
【０１９３】
１  非接触充電システム、２  車両、３，３Ａ，３Ｂ，３Ｃ  送電装置、４，４Ａ，４Ｂ，４Ｃ  受電装置、５  蓄電装置、６  フロアパネル、７  電源、１０  機器、１１，２１  共振器、１２  整流器、１４，２４  フィルタ、１６，１６Ａ，１６Ｃ  受電コイル、１７，２２，１３０  キャパシタ、２０  変換器、２３，２３Ａ，２３Ｃ  送電コイル、３０，１００  ケース、３１  アッパーカバー、３２，１０２  アンダーカバー、３３，１０６  基板、３４，１０５  金属板、３５，３５Ｂ，１０４，１０４Ｂ，２５０，２５０Ａ  フェライト板、３６，４０，１０７，１１０  側壁、３７，１０８  上壁、４１，１１１  底壁、４２，４４，６０，６２，１２０，１２３，１２５，１２８  下面、４３，４５，６１，６３，１２１，１２４，１２６，１２９  上面、４６，４６Ｂ，４７，４７Ｂ，１１４，１１４Ｂ，１１５，１１５Ｂ  分割フェライト板、５０，５０Ａ  第１コイル、５１，５１Ａ  第２コイル、５３，１１６  接続配線、７０，８０，１４０  コイル線、７１，７１Ａ，８１，８１Ａ，１４１，１４１Ａ，１５１，１５１Ａ  隣接部分、７２，７２Ａ，８２，８２Ａ，１４２，１４２Ａ，１５２，１５２Ａ  離間部分、７３，７４，８３，８４，１４３，１４４，１５３，１５４  接続部分、７５，８５，１４５，１５５  内周端部、７６，１４６，１５６  引出線、７７，８７，１４７，１５８  外周端部、７８，８８，１４８，１５９  退避部、８６  引出部分、１０１  アッパカバー、１１２，１１２Ａ  第３コイル、１１３，１１３Ａ  第４コイル、１３１  コイル、２００，２１０，２２０，２３０，２５２，２５２Ａ  板部、２０１，２１１，２２１，２３１，２５１，２５３Ａ，２５３Ｂ  突出部、２０２，２０３，２１２，２１３，２２２，２２３，２３２，２３３  分割突出部。
【図１】
2019016619.tif 000003
【図２】
2019016619.tif 000004
【図３】
2019016619.tif 000005
【図４】
2019016619.tif 000006
【図５】
2019016619.tif 000007
【図６】
2019016619.tif 000008
【図７】
2019016619.tif 000009
【図８】
2019016619.tif 000010
【図９】
2019016619.tif 000011
【図１０】
2019016619.tif 000012
【図１１】
2019016619.tif 000013
【図１２】
2019016619.tif 000014
【図１３】
2019016619.tif 000015
【図１４】
2019016619.tif 000016
【図１５】
2019016619.tif 000017
【図１６】
2019016619.tif 000018
【図１７】
2019016619.tif 000019
【図１８】
2019016619.tif 000020
【図１９】
2019016619.tif 000021
【図２０】
2019016619.tif 000022
【図２１】
2019016619.tif 000023
【図２２】
2019016619.tif 000024
【図２３】
2019016619.tif 000025
【図２４】
2019016619.tif 000026
【図２５】
2019016619.tif 000027
【図２６】
2019016619.tif 000028
【図２７】
2019016619.tif 000029
【図２８】
2019016619.tif 000030
【図２９】
2019016619.tif 000031